【手続補正書】
【提出日】平成29年12月5日(2017.12.5)
【手続補正１】
【補正対象書類名】明細書
【補正対象項目名】０１８３
【補正方法】変更
【補正の内容】
【０１８３】
本明細書内で引用される全ての特許、刊行物、及び参考文献は、これによって参照により完全に組み込まれる。本開示と組み込まれた特許、刊行物、及び参考文献との間に矛盾が存在する場合、本開示が優先されるものとする。
次に、本発明の好ましい態様を示す。
１．  トレーサー組成物であって、
水性の均一混合物であって、
水不溶性フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分散される、フルオロフォアと、
前記フルオロフォアに関する前記特徴的な励起波長を含む同じ電磁放射線に露光されたときに、前記第１の蛍光発光スペクトルとは明確に異なる第２の蛍光発光スペクトルを有する水溶性物質であって、前記混合物全体にわたって溶液中に均一に混合される、水溶性物質と、を含む、水性の均一混合物、を含む、前記トレーサー組成物。
２．  トレーサー組成物であって、
均一混合物であって、
水不溶性フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分散される、フルオロフォアと、
前記フルオロフォアに関する前記特徴的な励起波長を含む同じ電磁放射線に露光されたときに、前記第１の蛍光発光スペクトルとは明確に異なる第２の蛍光発光スペクトルを有する水溶性物質であって、前記混合物全体にわたって溶液中に均一に混合される、水溶性物質と、
前記水不溶性フルオロフォア及び前記水溶性物質のための媒体として水及び水混和性溶媒のうちの少なくとも１つと、を含む、均一混合物、を含む、前記トレーサー組成物。
３．  前記水溶性物質及び水溶性フルオロフォア類似体が、水性媒体内で組み合わされる場合、不適合混合物を形成するであろう、上記１または２に記載の前記組成物。
４．  前記水不溶性フルオロフォアが、乳濁液として前記混合物全体にわたって均一に分散される、上記１〜３のいずれかに記載の前記組成物。
５．  前記均一混合物が、１つ以上のポリアルキレンオキシド−アルキルアルコールエーテルより選択される乳化剤をさらに含む、上記４に記載の前記組成物。
６．  前記水溶性物質が苦味剤を含む、上記１〜５のいずれかに記載の前記組成物。
７．  前記苦味剤が、デナトニウム塩、オクタアセチルスクロース、キニーネ、ケルセチン、ナリンゲン、ブルシン、クアシン、及びそれらの組み合わせからなる群より選択される、上記６に記載の前記組成物。
８．  前記苦味剤が、安息香酸デナトニウム、デナトニウム糖類、塩化デナトニウム、及びそれらの組み合わせからなる群より選択されるデナトニウム塩を含む、上記６に記載の前記組成物。
９．  前記苦味剤が安息香酸デナトニウムを含む、上記６に記載の前記組成物。
１０．  前記水溶性物質が、水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、上記１〜５のいずれかに記載の前記組成物。
１１．  前記フルオロフォアが有機フルオロフォアを含む、上記１〜１０のいずれか一項に記載の前記組成物。
１２．  前記有機フルオロフォアが、アクリジン、アリールメチン、クマリン、シアニン、フルオロン、ナフタレン、オキサジアゾール、オキサジン、フェナントリジン、ピレン、ローダミン、スチルベン、スチリルビフェニル、テトラピロール、キサンテン、蛍光タンパク質、それらの誘導体、及びそれらの組み合わせからなる群より選択される、上記１１に記載の前記組成物。
１３．  前記フルオロフォアが無機フルオロフォアを含む、上記１〜１０のいずれか一項に記載の前記組成物。
１４．  前記無機フルオロフォアが量子ドットを含む、上記１３に記載の前記組成物。
１５．  前記特徴的な励起波長が、紫外線光スペクトル内にあり、
前記特徴的な発光波長が、可視光スペクトル内にある、上記１〜１４のいずれか一項に記載の前記組成物。
１６．  前記フルオロフォアが、重量に基づいて約１ｐｐｍ〜約５００００ｐｐｍの範囲内の濃度で前記組成物中に存在する、上記１〜１５のいずれか一項に記載の前記組成物。
１７．  前記水溶性物質が、重量に基づいて約１０ｐｐｍ〜約５０００００ｐｐｍの範囲内の濃度で前記組成物中に存在する、上記１〜１６のいずれか一項に記載の前記組成物。
１８．  前記組成物が、複数の異なる水溶性物質を含み、各水溶性物質が、前記フルオロフォアに関する前記特徴的な励起波長を含む前記電磁放射線に露光されたときに、前記第１の蛍光発光スペクトルとは明確に異なる蛍光発光スペクトルを有する、上記１〜１７のいずれか一項に記載の前記組成物。
１９．  前記組成物が、複数の異なるフルオロフォアを含み、各フルオロフォアが、前記フルオロフォアに関する前記特徴的な励起波長を含む前記電磁放射線に露光されたときに、他のフルオロフォア蛍光発光スペクトルとは異なる蛍光発光スペクトルを有する、上記１〜１８のいずれか一項に記載の前記組成物。
２０．  前記フルオロフォア及び前記水溶性物質が、既知の所定の比で前記組成物中に存在する、上記１〜１９のいずれか一項に記載の前記組成物。
２１．  前記フルオロフォア対前記水溶性物質の前記所定の比が、重量で約０．０００００１対１の範囲内にある、上記２０に記載の前記組成物。
２２．  水溶性ポリマー組成物であって、
固体混合物であって、
水溶性ポリマーと、
フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分布される、フルオロフォアと、
前記フルオロフォアに関する前記特徴的な励起波長を含む前記電磁放射線に露光されたときに、前記第１の蛍光発光スペクトルとは明確に異なる第２の蛍光発光スペクトルを有する物質であって、前記混合物全体にわたって均一に分布される、物質と、を含む、固体混合物を含み、
前記水溶性ポリマー組成物が、水中に溶解及び混合されて溶解組成物を形成し、前記フルオロフォアが、前記溶解組成物全体にわたって均一に分布されたままである、前記水溶性ポリマー組成物。
２３．  前記フルオロフォアが、水不溶性であり、前記溶解組成物全体にわたって均一に分散されたままであり、
前記物質が、水溶性であり、前記溶解組成物全体にわたって溶液中に均一に混合されたままである、上記２２に記載の前記組成物。
２４．  前記固体混合物が、前記フルオロフォアを前記溶解組成物全体にわたって均一に分散された乳濁液として維持する乳化剤をさらに含む、上記２３に記載の前記組成物。
２５．  前記フルオロフォアが、水溶性であり、前記溶解組成物全体にわたって溶液中に均一に混合されたままであり、
前記物質が、水不溶性であり、前記溶解組成物全体にわたって均一に分散されたままである、上記２２に記載の前記組成物。
２６．  前記固体混合物が、前記物質を前記溶解組成物全体にわたって均一に分散された乳濁液として維持する乳化剤をさらに含む、上記２５に記載の前記組成物。
２７．  前記フルオロフォア及び前記物質が、水溶性であり、前記溶解組成物全体にわたって溶液中に均一に混合されたままである、上記２２に記載の前記組成物。
２８．  前記フルオロフォア及び前記物質が、水不溶性であり、前記溶解組成物全体にわたって均一に分散されたままである、上記２２に記載の前記組成物。
２９．  前記固体混合物が、前記フルオロフォア及び前記物質を前記溶解組成物全体にわたって均一に分散された乳濁液として維持する少なくとも１つの乳化剤をさらに含む、上記２８に記載の前記組成物。
３０．  前記水溶性ポリマーが、２０℃で約４ｃＰ〜約４０ｃＰの範囲内の４％溶液粘度を有する、上記２２〜２９のいずれか一項に記載の前記組成物。
３１．  前記水溶性ポリマーが、ポリビニルアルコール、ポリエチレンイミン、ポリビニルピロリドン、ポリアルキレンオキシド、ポリアクリルアミド、セルロースエーテル、セルロースエステル、セルロースアミド、ポリビニルアセテート、ポリアミド、ゼラチン、メチルセルロース、カルボキシメチルセルロース及びそれらの塩、デキストリン、エチルセルロース、ヒドロキシエチルセルロース、ヒドロキシプロピルメチルセルロース、マルトデキストリン、それらのコポリマー、それらのブレンド物、ならびにそれらの組み合わせからなる群より選択される、上記２２〜３０のいずれか一項に記載の前記組成物。
３２．  前記水溶性ポリマーがポリビニルアルコールを含む、上記２２〜３０のいずれか一項に記載の前記組成物。
３３．  前記ポリビニルアルコールが、約７５％〜約９９％の範囲内の加水分解度を有する、上記３２に記載の前記組成物。
３４．  前記ポリビニルアルコールが、ビニルアルコールモノマー繰り返し単位及びビニルアセテートモノマー繰り返し単位から本質的になるポリビニルアルコールコポリマーを含む、上記３２に記載の前記組成物。
３５．  前記ポリビニルアルコールが、ビニルアルコールモノマー繰り返し単位、ビニルアセテートモノマー繰り返し単位、及び少なくとも１つの他の種類のモノマー繰り返し単位を含むポリビニルアルコールコポリマーを含む、上記３２に記載の前記組成物。
３６．  前記物質が苦味剤を含む、上記２２〜３５のいずれかに記載の前記組成物。
３７．  前記苦味剤が、デナトニウム塩、オクタアセチルスクロース、キニーネ、ケルセチン、ナリンゲン、ブルシン、クアシン、及びそれらの組み合わせからなる群より選択される、上記３６に記載の前記組成物。
３８．  前記苦味剤が、安息香酸デナトニウム、デナトニウム糖類、塩化デナトニウム、及びそれらの組み合わせからなる群より選択されるデナトニウム塩を含む、上記３６に記載の前記組成物。
３９．  前記苦味剤が安息香酸デナトニウムを含む、上記３６に記載の前記組成物。
４０．  前記物質が、追加の水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、上記２２〜３５のいずれかに記載の前記組成物。
４１．  前記フルオロフォアが有機フルオロフォアを含む、上記２２〜４０のいずれか一項に記載の前記組成物。
４２．  前記有機フルオロフォアが、アクリジン、アリールメチン、クマリン、シアニン、フルオロン、ナフタレン、オキサジアゾール、オキサジン、フェナントリジン、ピレン、ローダミン、スチルベン、スチリルビフェニル、テトラピロール、キサンテン、蛍光タンパク質、それらの誘導体、及びそれらの組み合わせからなる群より選択される、上記４１に記載の前記組成物。
４３．  前記フルオロフォアが無機フルオロフォアを含む、上記２２〜４０のいずれか一項に記載の前記組成物。
４４．  前記無機フルオロフォアが量子ドットを含む、上記４３に記載の前記組成物。
４５．  前記特徴的な励起波長が、紫外線光スペクトル内にあり、
前記特徴的な発光波長が、可視光スペクトル内にある、上記２２〜４４のいずれか一項に記載の前記組成物。
４６．  前記フルオロフォア及び前記物質が、既知の所定の比で前記組成物中に存在する、上記２２〜４５のいずれか一項に記載の前記組成物。
４７．  前記フルオロフォア対前記物質の前記所定の比が、重量で約０．０００００１対１の範囲内にある、上記４６に記載の前記組成物。
４８．  前記フルオロフォアが、重量で約１ｐｐｍ〜約５００ｐｐｍの範囲内の濃度で前記組成物中に存在する、上記２２〜４７のいずれか一項に記載の前記組成物。
４９．  前記物質が、重量で約１０ｐｐｍ〜約１００００ｐｐｍの範囲内の濃度で前記組成物中に存在する、上記２２〜４８のいずれか一項に記載の前記組成物。
５０．  前記水溶性ポリマー組成物が、水溶性フィルムの形態にある、上記２２〜４９のいずれか一項に記載の前記組成物。
５１．  複数の水溶性ポリマー組成物であって、
上記２２〜５０のいずれか一項に記載の２つ以上の水溶性ポリマー組成物を含み、
各水溶性ポリマー組成物が、少なくとも１つの態様において、互いに異なる水溶性ポリマー組成物であり、
各水溶性ポリマー組成物が、同じフルオロフォア及び同じ物質を含む、前記複数の水溶性ポリマー組成物。
５２．  前記フルオロフォア及び前記物質が、各水溶性ポリマー組成物中に同じ所定の比で存在する、上記５１に記載の前記複数の水溶性ポリマー組成物。
５３．  内部容器容積を画定する容器の形態にある、上記２２〜５０のいずれか一項に記載の水溶性ポリマー組成物と、
前記内部容器容積内に含有される組成物と、を含む、物品。
５４．  前記組成物が洗浄用組成物を含む、上記５３に記載の前記物品。
５５．  前記組成物が洗剤組成物を含む、上記５３に記載の前記物品。
５６．  前記洗剤組成物が、前記水溶性ポリマー組成物と同じフルオロフォアを含む、上記５５に記載の前記物品。
５７．  前記フルオロフォアが光学的増白剤を含む、上記５５に記載の前記物品。
５８．  前記洗剤組成物が、前記水溶性ポリマー組成物中に前記フルオロフォアを実質的に含まない、上記５５に記載の前記物品。
５９．  前記水溶性ポリマー組成物が、水溶性フィルムの形態にあり、
前記容器が、水溶性パウチの形態にある、上記５３〜５８のいずれか一項に記載の前記物品。
６０．  水溶性ポリマー組成物を形成するための方法であって、
上記１〜２１のいずれか一項に記載の水溶性ポリマー及びトレーサー組成物を混合して、ポリマー−フルオロフォア−物質ブレンド物を形成することと、
前記ポリマー−フルオロフォア−物質ブレンド物を固体水溶性ポリマー組成物に形成することであって、前記フルオロフォア及び前記物質が、前記水溶性ポリマー組成物全体にわたって均一に分布される、形成することと、を含む、前記方法。
６１．  水溶性ポリマー組成物を形成するための方法であって、
水溶性ポリマー及びトレーサー組成物を混合して、ポリマー−フルオロフォア−物質ブレンド物を形成することであって、前記トレーサー組成物が、均一混合物であって、
フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分布される、フルオロフォアと、
前記フルオロフォアに関する前記特徴的な励起波長を含む前記電磁放射線に露光されたときに、前記第１の蛍光発光スペクトルとは明確に異なる第２の蛍光発光スペクトルを有する物質であって、前記混合物全体にわたって均一に分布される、物質と、を含む、均一混合物を含む、形成することと、
前記ポリマー−フルオロフォア−物質ブレンド物を固体水溶性ポリマー組成物に形成することであって、前記フルオロフォア及び前記物質が、前記水溶性ポリマー組成物全体にわたって均一に分布される、形成することと、を含む、前記方法。
６２．  前記均一混合物が、前記フルオロフォア及び前記物質のための媒体として水及び水混和性溶媒のうちの少なくとも１つをさらに含む、上記６１に記載の前記方法。
６３．  前記ポリマー−フルオロフォア−物質ブレンド物が、追加の水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、及びそれらの組み合わせからなる群より選択される１つ以上の構成成分をさらに含む、上記６０〜６２のいずれか一項に記載の前記方法。
６４．  前記ポリマー−フルオロフォア−物質ブレンド物が、前記水溶性ポリマーが中に溶解した水溶液の形態にあり、
前記水溶性ポリマー組成物を形成することが、前記ポリマー−フルオロフォア−物質ブレンド物を溶液流延して、前記水溶性ポリマー組成物をフィルムとして形成することを含む、上記６０〜６３のいずれか一項に記載の前記方法。
６５．  前記水溶性ポリマー組成物を形成することが、前記ポリマー−フルオロフォア−物質ブレンド物を溶融加工することを含む、上記６０〜６３のいずれか一項に記載の前記方法。
６６．  フルオロフォアを検出するための方法であって、
上記２２〜５０のいずれか一項に記載の水溶性ポリマー組成物または上記５３〜５９のいずれか一項に記載の物品を提供することと、
前記組成物または物品を、前記フルオロフォアに関する前記特徴的な励起波長を含む入射電磁放射線に露光することと、
前記組成物または物品から発光された電磁放射線を検出することであって、前記発光された電磁放射線が、前記フルオロフォアの前記少なくとも１つの特徴的な発光波長に相当し、前記特徴的な発光波長の陽性検出が、前記物質が前記組成物または物品内に存在することを示唆する、検出することと、を含む、前記方法。
６７．  前記組成物または物品を入射電磁放射線に露光することが、
前記水溶性ポリマー組成物または物品の少なくとも一部分を水中に溶解して、溶解組成物を形成することと、
前記溶解組成物を前記フルオロフォアに関する前記特徴的な励起波長を含む前記入射電磁放射線に露光して、前記発光された電磁放射線を生成することと、を含む、上記６６に記載の前記方法。
６８．  前記溶解組成物が、約０．１重量％〜約１０重量％の前記水溶性ポリマー組成物または物品部分を含む、上記６７に記載の前記方法。
６９．  前記組成物または物品内に存在する前記フルオロフォアの量を定量的に決定することであって、前記フルオロフォア及び前記物質が前記組成物または物品内に既知の所定の比で存在するとき、前記フルオロフォア量が、前記組成物または物品内に存在する前記物質の量を示唆する、決定すること、をさらに含む、上記６６または６８に記載の前記方法。
７０．  前記少なくとも１つの励起波長及び前記少なくとも１つの発光波長が、紫外線−可視−赤外線光スペクトル内にある、上記６６〜６９のいずれかに記載の前記方法。
７１．  前記少なくとも１つの励起波長が、前記紫外線光スペクトル内にあり、
前記少なくとも１つの発光波長が、前記可視光スペクトル内にある、上記６６〜６９のいずれかに記載の前記方法。
７２．  分光光度計を用いて前記試料から前記発光された電磁放射線を検出することを含む、上記６６〜７１のいずれかに記載の前記方法。
７３．  前記少なくとも１つの発光波長が前記可視光スペクトル内にあるとき、人間の目による目視検査によって前記試料から前記発光された電磁放射線を検出することを含む、上記６６〜７２のいずれかに記載の前記方法。
７４．  前記物質についての前記定性的または定量的決定を前記物質についての１つ以上の品質管理基準と比較することと、
前記比較に基づいて前記組成物または物品を拒絶または容認することと、をさらに含む、上記６６〜７３のいずれかに記載の前記方法。
【手続補正２】
【補正対象書類名】特許請求の範囲
【補正対象項目名】全文
【補正方法】変更
【補正の内容】
【特許請求の範囲】
【請求項１】
トレーサー組成物であって、
水性の均一混合物であって、
水不溶性フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分散される、フルオロフォアと、
前記フルオロフォアに関する前記特徴的な励起波長を含む同じ電磁放射線に露光されたときに、前記第１の蛍光発光スペクトルとは明確に異なる第２の蛍光発光スペクトルを有する水溶性物質であって、前記混合物全体にわたって溶液中に均一に混合される、水溶性物質と、を含む、水性の均一混合物、を含む、前記トレーサー組成物。
【請求項２】
トレーサー組成物であって、
均一混合物であって、
水不溶性フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分散される、フルオロフォアと、
前記フルオロフォアに関する前記特徴的な励起波長を含む同じ電磁放射線に露光されたときに、前記第１の蛍光発光スペクトルとは明確に異なる第２の蛍光発光スペクトルを有する水溶性物質であって、前記混合物全体にわたって溶液中に均一に混合される、水溶性物質と、
前記水不溶性フルオロフォア及び前記水溶性物質のための媒体として水及び水混和性溶媒のうちの少なくとも１つと、を含む、均一混合物、を含む、前記トレーサー組成物。
【請求項３】
前記水溶性物質及び水溶性フルオロフォア類似体が、水性媒体内で組み合わされる場合、不適合混合物を形成するであろう、請求項１または２に記載の前記組成物。
【請求項４】
前記水不溶性フルオロフォアが、乳濁液として前記混合物全体にわたって均一に分散される、請求項１〜３のいずれかに記載の前記組成物。
【請求項５】
前記水溶性物質が苦味剤を含む、請求項１〜４のいずれかに記載の前記組成物。
【請求項６】
前記苦味剤が、デナトニウム塩、オクタアセチルスクロース、キニーネ、ケルセチン、ナリンゲン、ブルシン、クアシン、及びそれらの組み合わせからなる群より選択される、請求項５に記載の前記組成物。
【請求項７】
前記苦味剤が安息香酸デナトニウムを含む、請求項５に記載の前記組成物。
【請求項８】
前記水溶性物質が、水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、請求項１〜４のいずれかに記載の前記組成物。
【請求項９】
前記フルオロフォアが有機フルオロフォアを含む、請求項１〜８のいずれか一項に記載の前記組成物。
【請求項１０】
前記フルオロフォアが無機フルオロフォアを含む、請求項１〜８のいずれか一項に記載の前記組成物。
【請求項１１】
前記特徴的な励起波長が、紫外線光スペクトル内にあり、
前記特徴的な発光波長が、可視光スペクトル内にある、請求項１〜１０のいずれか一項に記載の前記組成物。
【請求項１２】
前記フルオロフォア及び前記水溶性物質が、既知の所定の比で前記組成物中に存在する、請求項１〜１１のいずれか一項に記載の前記組成物。
【請求項１３】
水溶性ポリマー組成物であって、
固体混合物であって、
水溶性ポリマーと、
フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分布される、フルオロフォアと、
前記フルオロフォアに関する前記特徴的な励起波長を含む前記電磁放射線に露光されたときに、前記第１の蛍光発光スペクトルとは明確に異なる第２の蛍光発光スペクトルを有する物質であって、前記混合物全体にわたって均一に分布される、物質と、を含む、固体混合物を含み、
前記水溶性ポリマー組成物が、水中に溶解及び混合されて溶解組成物を形成した時に、前記フルオロフォアが、前記溶解組成物全体にわたって均一に分布されたままである、前記水溶性ポリマー組成物。
【請求項１４】
前記フルオロフォア及び前記物質の少なくとも１つが、水不溶性であり、前記溶解組成物全体にわたって均一に分散されたままであり、
前記固体混合物が、前記少なくとも１つの水不溶性フルオロフォア又は物質を前記溶解組成物全体にわたって均一に分散された乳濁液として維持する乳化剤をさらに含む、請求項１３に記載の前記組成物。
【請求項１５】
前記水溶性ポリマーが、ポリビニルアルコール、ポリエチレンイミン、ポリビニルピロリドン、ポリアルキレンオキシド、ポリアクリルアミド、セルロースエーテル、セルロースエステル、セルロースアミド、ポリビニルアセテート、ポリアミド、ゼラチン、メチルセルロース、カルボキシメチルセルロース及びそれらの塩、デキストリン、エチルセルロース、ヒドロキシエチルセルロース、ヒドロキシプロピルメチルセルロース、マルトデキストリン、それらのコポリマー、それらのブレンド物、ならびにそれらの組み合わせからなる群より選択される、請求項１３または１４に記載の前記組成物。
【請求項１６】
前記水溶性ポリマーがポリビニルアルコールを含む、請求項１３または１４に記載の前記組成物。
【請求項１７】
前記物質が苦味剤を含む、請求項１３〜１６のいずれかに記載の前記組成物。
【請求項１８】
前記苦味剤が、デナトニウム塩、オクタアセチルスクロース、キニーネ、ケルセチン、ナリンゲン、ブルシン、クアシン、及びそれらの組み合わせからなる群より選択される、請求項１７に記載の前記組成物。
【請求項１９】
前記苦味剤が安息香酸デナトニウムを含む、請求項１７に記載の前記組成物。
【請求項２０】
前記物質が、追加の水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、請求項１３〜１６のいずれかに記載の前記組成物。
【請求項２１】
前記フルオロフォアが有機フルオロフォアを含む、請求項１３〜２０のいずれか一項に記載の前記組成物。
【請求項２２】
前記フルオロフォアが無機フルオロフォアを含む、請求項１３〜２０のいずれか一項に記載の前記組成物。
【請求項２３】
前記特徴的な励起波長が、紫外線光スペクトル内にあり、
前記特徴的な発光波長が、可視光スペクトル内にある、請求項１３〜２２のいずれか一項に記載の前記組成物。
【請求項２４】
前記水溶性ポリマー組成物が、水溶性フィルムの形態にある、請求項１３〜２３のいずれか一項に記載の前記組成物。
【請求項２５】
複数の水溶性ポリマー組成物であって、
請求項１３〜２４のいずれか一項に記載の２つ以上の水溶性ポリマー組成物を含み、
各水溶性ポリマー組成物が、少なくとも１つの態様において、互いに異なる水溶性ポリマー組成物であり、
各水溶性ポリマー組成物が、同じフルオロフォア及び同じ物質を含む、前記複数の水溶性ポリマー組成物。
【請求項２６】
内部容器容積を画定する容器の形態にある、請求項１３〜２４のいずれか一項に記載の水溶性ポリマー組成物と、
前記内部容器容積内に含有される組成物と、を含む、物品。
【請求項２７】
前記組成物が洗浄用組成物を含む、請求項２６に記載の前記物品。
【請求項２８】
前記組成物が洗剤組成物を含む、請求項２６に記載の前記物品。
【請求項２９】
前記水溶性ポリマー組成物が、水溶性フィルムの形態にあり、
前記容器が、水溶性パウチの形態にある、請求項２６〜２８のいずれか一項に記載の前記物品。
【請求項３０】
水溶性ポリマー組成物を形成するための方法であって、
請求項１〜１２のいずれか一項に記載の水溶性ポリマー及びトレーサー組成物を混合して、ポリマー−フルオロフォア−物質ブレンド物を形成することと、
前記ポリマー−フルオロフォア−物質ブレンド物を固体水溶性ポリマー組成物に形成することであって、前記フルオロフォア及び前記物質が、前記水溶性ポリマー組成物全体にわたって均一に分布される、形成することと、を含む、前記方法。
【請求項３１】
水溶性ポリマー組成物を形成するための方法であって、
水溶性ポリマー及びトレーサー組成物を混合して、ポリマー−フルオロフォア−物質ブレンド物を形成することであって、前記トレーサー組成物が、均一混合物であって、
フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分布される、フルオロフォアと、
前記フルオロフォアに関する前記特徴的な励起波長を含む前記電磁放射線に露光されたときに、前記第１の蛍光発光スペクトルとは明確に異なる第２の蛍光発光スペクトルを有する物質であって、前記混合物全体にわたって均一に分布される、物質と、を含む、均一混合物を含む、形成することと、
前記ポリマー−フルオロフォア−物質ブレンド物を固体水溶性ポリマー組成物に形成することであって、前記フルオロフォア及び前記物質が、前記水溶性ポリマー組成物全体にわたって均一に分布される、形成することと、を含む、前記方法。
【請求項３２】
フルオロフォアを検出するための方法であって、
請求項１３〜２４のいずれか一項に記載の水溶性ポリマー組成物または請求項２６〜２９のいずれか一項に記載の物品を提供することと、
前記組成物または物品を、前記フルオロフォアに関する前記特徴的な励起波長を含む入射電磁放射線に露光することと、
前記組成物または物品から発光された電磁放射線を検出することであって、前記発光された電磁放射線が、前記フルオロフォアの前記少なくとも１つの特徴的な発光波長に相当し、前記特徴的な発光波長の陽性検出が、前記物質が前記組成物または物品内に存在することを示唆する、検出することと、を含む、前記方法。
【請求項３３】
前記組成物または物品を入射電磁放射線に露光することが、
前記水溶性ポリマー組成物または物品の少なくとも一部分を水中に溶解して、溶解組成物を形成することと、
前記溶解組成物を前記フルオロフォアに関する前記特徴的な励起波長を含む前記入射電磁放射線に露光して、前記発光された電磁放射線を生成することと、を含む、請求項３２に記載の前記方法。